(57)【要約】【課題】原稿読取装置の回動動作が容易な複合装置を提供する。【解決手段】複合装置１Ａは、記録用紙に画像を形成するプリンタ部２と、プリンタ部２上に設けられ、原稿を読み取るスキャナ部３と、を備えているプリンタ部２は、上面に開口を有する筐体と、筐体内に設けられた画像形成機構部と、を備え、スキャナ部３は、プリンタ部２の左端部に設けられて前後方向に延びる回動支軸７１によって、開口を閉じる位置と、開口を開放する位置と、の間で回動可能に支持されている。【選択図】図２
2010136051.tif 000002
【特許請求の範囲】
【請求項１】
記録媒体に画像を形成する画像形成装置と、
前記画像形成装置上に設けられ、原稿を読み取る原稿読取装置と、
を備えた複合装置であって、
前記画像形成装置は、上面に開口を有する筐体部と、前記筐体部内に設けられた画像形成機構部と、を備え、
前記原稿読取装置は、前記画像形成装置の左端部又は右端部に設けられて前後方向に延びる回動支軸によって、前記開口を閉じる位置と、前記開口を開放する位置と、の間で回動可能に支持されている
ことを特徴とする複合装置。
【請求項２】
前記原稿読取装置の前記回動支軸は、前記開口よりも外側に設けられている
ことを特徴とする請求項１に記載の複合装置。
【請求項３】
前記画像形成機構部に電力を供給する電源ユニット、前記画像形成機構部を駆動する駆動モータ、及び、前記電源画像形成機構部を制御する制御基板は、前記回動支軸の下方に設けられている
ことを特徴とする請求項１又は請求項２に記載の複合装置。
【請求項４】
前記回動支軸は、前記筐体部の上部に設けられたステーに設けられており、
前記筐体部の後部に設けられて左右方向に延びる回動支軸によって、前記筐体部の前記開口を閉塞する位置と、前記筐体部の前記開口を開放する位置と、の間を回動可能なカバーをさらに備えている
ことを特徴とする請求項１から請求項３のいずれか一項に記載の複合装置。
【請求項５】
前記原稿読取装置は、
前記画像形成装置に対して回動可能に支持されており、前記原稿を読み取る原稿載置面を有する原稿読取部と、
前記原稿読取部上に設けられ、前記原稿載置面に載置された前記原稿を押さえる原稿押さえ部と、
を備えており、
前記原稿押さえ部は、前記原稿読取部の右端部又は左端部に設けられて前後方向に延びる回動支軸によって、前記原稿載置面を覆って前記原稿を押さえる位置と、前記原稿載置面を開放する位置と、の間で回動可能に支持されており、
前記原稿読取部の回動支軸と前記原稿押さえ部の回動支軸とは、それぞれ左右の反対側に設けられている
ことを特徴とする請求項１から請求項４のいずれか一項に記載の複合装置。
【発明の詳細な説明】
【技術分野】
【０００１】
本発明は、画像形成装置及び原稿読取装置を備えた複合装置に関する。
【背景技術】
【０００２】
従来の画像形成装置及び原稿読取装置を備えた複合装置では、原稿読取装置が画像形成装置の上方に設けられており、画像形成装置の内部保守や消耗品交換を行う際には、原稿読取装置を画像形成装置に対して後方に回動させることによって画像形成装置の上部を開放していた（例えば、特許文献１参照）。
【０００３】
【特許文献１】特開２００８−１５２０５０号公報
【発明の開示】
【発明が解決しようとする課題】
【０００４】
しかしながら、特許文献１に記載の装置は、原稿読取装置を後方に回動させるため、利用者が車椅子を利用している場合等には、回動動作が困難であった。
【０００５】
本発明は、前記した問題を解決すべく創案されたものであり、原稿読取装置の回動動作が容易な複合装置を提供することを課題とする。
【課題を解決するための手段】
【０００６】
前記課題を解決するため、本発明は、記録媒体に画像を形成する画像形成装置と、前記画像形成装置上に設けられ、原稿を読み取る原稿読取装置と、を備えた複合装置であって、前記画像形成装置は、上面に開口を有する筐体部と、前記筐体部内に設けられた画像形成機構部と、を備え、前記原稿読取装置は、前記画像形成装置の左端部又は右端部に設けられて前後方向に延びる回動支軸によって、前記開口を閉じる位置と、前記開口を開放する位置と、の間で回動可能に支持されていることを特徴とする。
【０００７】
かかる構成によると、原稿読取装置を回動させても、利用者に対する奥行き方向の位置が変わらないため、原稿読取装置の回動動作が容易となる。
【０００８】
また、前記原稿読取装置の前記回動支軸は、前記開口よりも外側に設けられていることが望ましい。
【０００９】
かかる構成によると、原稿読取装置を回動させて開口を開放した状態において、開口の回動支軸付近における画像形成機構部の内部保守や消耗品交換が容易となる。
【００１０】
また、前記画像形成機構部に電力を供給する電源ユニット、前記画像形成機構部を駆動する駆動モータ、及び、前記電源画像形成機構部を制御する制御基板は、前記回動支軸の下方に設けられていることが望ましい。
【００１１】
かかる構成によると、幅方向のスペースを有効活用することができる。
【００１２】
また、前記筐体部の後部に設けられて左右方向に延びる回動支軸によって、前記筐体部の前記開口を閉塞する位置と、前記筐体部の前記開口を開放する位置と、の間を回動可能なカバーをさらに備えていることが望ましい。
【００１３】
かかる構成によると、カバーによって画像形成機構部を保護することができる。
【００１４】
また、前記原稿読取装置は、前記画像形成装置に対して回動可能に支持されており、前記原稿を読み取る原稿載置面を有する原稿読取部と、前記原稿読取部上に設けられ、前記原稿載置面に載置された前記原稿を押さえる原稿押さえ部と、を備えており、前記原稿押さえ部は、前記原稿読取部の右端部又は左端部に設けられて前後方向に延びる回動支軸によって、前記原稿載置面を覆って前記原稿を押さえる位置と、前記原稿載置面を開放する位置と、の間で回動可能に支持されており、前記原稿読取部の回動支軸と前記原稿押さえ部の回動支軸とは、それぞれ左右の反対側に設けられていることが望ましい。
【００１５】
かかる構成によると、原稿押さえ部が不要に開くことを防ぎつつ原稿読取装置を開くことができる。
【発明の効果】
【００１６】
本発明によれば、原稿読取装置の回動動作が容易な複合装置を提供することができる。
【発明を実施するための最良の形態】
【００１７】
以下、本発明の実施形態について、適宜図面を参照しながら説明する。同様の部分には同一符号を付し、重複する説明を省略する。以下の説明において、位置、方向等については、複合装置の正面に利用者が立った状態を基準とする。
【００１８】
（第一の実施形態）
まず、本発明の第一の実施形態に係る複合装置について、図１〜図８を参照して説明する。図１は、本発明の第一の実施形態に係る複合装置を示す図であり、（ａ）は左側面図、（ｂ）は（ａ）の部分拡大断面図である。図２は、本発明の第一の実施形態に係る複合装置を示す図であり、（ａ）は正面図、（ｂ）は（ａ）の部分拡大断面図である。図３は、図２のＡ１−Ａ１断面図である。図４は、図１のＡ２−Ａ２断面図である。図５は、図１のＡ３−Ａ３断面図である。図６は、本発明の第一の実施形態に係る複合装置の動作例を説明するための図であり、（ａ）はドキュメントカバーユニットを開いた状態を示す左側面図、（ｂ）は（ａ）の部分拡大断面図である。図７は、本発明の第一の実施形態に係る複合装置の動作例を説明するための図であり、（ａ）はスキャナ部を開いた状態を示す正面図、（ｂ）は（ａ）の部分拡大断面図である。図８は、本発明の第一の実施形態に係る複合装置の動作例を説明するための図であり、スキャナ部を開いた状態を示す斜視図である。
【００１９】
図１（ａ）及び図２（ａ）に示すように、本発明の第一の実施形態に係る複合装置１Ａは、画像形成装置の一例としてのプリンタ部２と、原稿読取装置の一例としてのスキャナ部３と、を備えたコピー機である。以下の説明において、プリンタ部２はＬＥＤタンデムカラー方式によって記録用紙上に画像を形成して記録するものとしたが、プリンタ部２は、レーザ方式、インクジェット方式、ドットマトリクスインパクト方式等によって記録用紙上に画像を形成して記録するものであってもよい。
【００２０】
＜プリンタ部２＞
図３に示すように、プリンタ部２は、記録媒体の一例としての記録用紙上に画像を形成するものであり、給紙部１０と、画像形成機構部２０と、を備えている。
【００２１】
≪給紙部１０≫
給紙部１０は、プリンタ部２の筐体２ａに対して前方に引き出し可能に設けられており、給紙カセット１１と、給紙ローラ１２と、ワンウェイクラッチ１３と、を備えている。給紙カセット１１は、その内部に記録用紙（図示せず）を収納しており、給紙ローラ１２は、制御基板３４の制御に基づいて、記録用紙を画像形成機構部２０へ供給する。ワンウェイクラッチ１３は、記録用紙を給紙カセット１１から画像形成機構部２０へと一方向へ搬送する。
【００２２】
≪画像形成機構部２０≫
画像形成機構部２０は、給紙部１０から供給された記録用紙上に公知の電子写真方式を用いて画像を形成する装置であり、給紙部１０の上方に設けられている。画像形成機構部２０は、記録用紙が搬送される上流側から下流側へと順に、レジストローラ２１と、搬送ローラ２２と、画像形成ユニット２３と、定着ユニット２４と、排出ユニット２５と、を備えている。
【００２３】
レジストローラ２１は、記録用紙の斜行を矯正し、正しい姿勢で下流側へと搬送する斜行矯正手段を備えたローラである。搬送ローラ２２は、記録用紙を画像形成ユニット２３へ搬送するローラである。
【００２４】
画像形成ユニット２３は、印字プロセスカートリッジ２３ａと、搬送部２３ｂと、転写ローラ２３ｃと、を備えている。
【００２５】
印字プロセスカートリッジ２３ａは、４種類のトナーに対応して４つ設けられており、トナーカートリッジ２３ａ１と、チャージローラ２３ａ２と、感光ドラム２３ａ３と、を備えている。トナーカートリッジ２３ａ１は、トナーを収納しており、感光ドラム２３ａ３にトナーを供給する。チャージローラ２３ａ２は、感光ドラム２３ａ３を帯電するためのローラである。感光ドラム２３ａ３は、チャージローラ２３ａ２によって帯電されるとともに印字ヘッド（図示せず）から照射されたＬＥＤ光を受けることによって当該感光ドラム２３ａ３の表面上に静電潜像を形成する。
【００２６】
搬送部２３ｂは、印字プロセスカートリッジ２３ａの下方に設けられており、一対の搬送ローラ２３ｂ１，２３ｂ１と、搬送ベルト２３ｂ２と、を備えている。一対の搬送ローラ２３ｂ１，２３ｂ１は、搬送ベルト２３ｂ２を駆動するためのローラである。搬送ベルト２３ｂ２は、一対の搬送ローラ２３ｂ１，２３ｂ１に巻回された無端ベルトであり、記録用紙を搬送する。
【００２７】
転写ローラ２３ｃは、印字プロセスカートリッジ２３ａの下方に、感光ドラム２３ａ３に対応して設けられている。転写ローラ２３ｃは、感光ドラム２３ａ３の表面上に形成された静電潜像を記録用紙に転写する。
【００２８】
定着ユニット２４は、記録用紙上に転写された静電潜像を、熱及び圧力によって記録媒体上に定着させる。排出ユニット２５は、記録用紙をプリンタ部２外、ここでは、プリンタ部２の筐体２ａの開口を覆うように設けられたトップカバー２ｆ（図４参照）上に排出する。
【００２９】
また、画像形成機構部２０は、給紙ローラ１２によって記録用紙が画像形成機構部２０内に供給されたことを検出するセンサ２６ａと、記録用紙がレジストローラ２１を通過したことを検出するセンサ２６ｂと、記録用紙が画像形成ユニット２３に供給されることを検出するセンサ２６ｃと、を備えている。センサ２６ａ〜２６ｃの検出結果は制御基板３４に出力される。
【００３０】
図４に示すように、プリンタ部２は、その左端部に、電源ユニット３１と、駆動モータ３２と、ギヤ３３ａ〜３３ｅと、制御基板３４と、高圧基板３５と、ケーブル３６ａ，３６ｂと、を備えている。
【００３１】
電源ユニット３１は、外部から供給された電力を複合装置１Ａ内の各種機器に供給する。駆動モータ３２は、ギヤ３３ａ〜３３ｅを介して感光ドラム２３ａ３を回転駆動させる。ギヤ３３ａ〜３３ｅは、互いに歯合することによって駆動モータ３２の駆動力を伝達するものであり、ギヤ３３ａは駆動モータ３２に連結されており、ギヤ３３ｅは感光ドラム２３ａ３に連結されている。
【００３２】
制御基板３４は、複合装置１Ａ内の各種機器を制御するための制御信号を出力する。高圧基板３５は、印字プロセスカートリッジ２３ａに高電圧を付与するための基板である。電源ユニット３１、制御基板３４及び高圧基板３５は、ケーブル３６ａ，３６ｂによって電気的に接続されている。
【００３３】
また、プリンタ部２は、その右端部に、トナーセンサ基板３７を備えている。トナーセンサ基板３７は、印字プロセスカートリッジ２３ａ内のトナー量を検出するためのトナーセンサ３７ａを備えている。トナーセンサ３７ａの検出結果は、制御基板３４に出力される。
【００３４】
また、プリンタ部２の筐体２ａは、サイドカバー２ｂ，２ｃと、カセットガイド２ｄ，２ｅと、トップカバー２ｆと、を備えて構成されている。サイドカバー２ｂ，２ｃは、それぞれプリンタ部２の左右側面を構成する部材であり、カセットガイド２ｄ，２ｅは、それぞれサイドカバー２ｂ，２ｃの内側に設けられ、給紙カセット１１をガイドする部材である。
【００３５】
トップカバー２ｆは、筐体２ａの後部を回動支軸２ｆ１（図７及び図８参照）として、筐体２ａの上部に設けられた開口を閉塞する位置と、筐体２ａの上部に設けられた開口を開放する位置と、の間を回動可能に設けられている。ここで、回動支軸２ｆ１は、筐体２ａの左右方向に延びる軸である。また、トップカバー２ｆは、排出ユニット２５によって排出された記録用紙を当該トップカバー２ｆの上面で受ける記録用紙受け部である。
【００３６】
また、プリンタ部２の筐体２ａは、その上部に一対のステー２ｇ，２ｈを備えている。ステー２ｇは、筐体２ａの左端部に設けられており、スキャナ部３を回動可能に軸支するための回動支軸用溝７４を備えている。ステー２ｈは、筐体２ｂの右端部に設けられており、スキャナ部３が閉じられた状態において、スキャナ部３の右端部底面と当接する。
【００３７】
ステー２ｇは、強度を考慮して、ステー２ｈよりも左右方向の厚みを有している。本実施形態においては、電源ユニット３１、駆動モータ３２、ギヤ３３ａ〜３３ｃ、制御基板３４、高圧基板３５及びケーブル３６ａ，３６ｂは、回動支軸７１（図２参照）の下方、本実施形態では、回動支軸７１が設けられたステー２ｇの下方に設けられている。かかる配置構造によって、複合装置１Ａは、ステー２ｇの強度を確保しつつ幅方向のスペースを有効活用することができる。
【００３８】
＜スキャナ部３＞
スキャナ部３は、プリンタ部２上に設けられている。図５に示すように、スキャナ部３は、原稿読取部の一例であるフラットベッドユニット４０と、原稿押さえ部の一例であるドキュメントカバーユニット５０と、を備えている。また、フラットベッド４０の前側には、操作パネル３ａが設けられている。利用者が操作パネル３ａを操作することによる入力は、制御基板３４に出力される。
【００３９】
フラットベッドユニット４０は、原稿載置面４１と、キャリッジ４２と、を備えている。原稿載置面４１は、読み取るべき原稿（図示せず）を載置するための面である。キャリッジ４２は、原稿載置面４１に載置された原稿を、副走査線方向に往復移動しながら読み取る。キャリッジ４２は、冷陰極管４２ａと、ミラー４２ｂ，４２ｂと、イメージセンサユニット４２ｃと、を備えている。
【００４０】
冷陰極管４２ａは、原稿を読み取るための光を照射する光源である。ミラー４２ｂ，４２ｂは、冷陰極管４２ａから照射された光を所定の角度で反射させ、イメージセンサユニット４２ｃに入射させる。冷陰極管４２ａ、ミラー４２ｂ，４２ｂ及びイメージセンサユニット４２ｃは、光の光路長が所定の長さになるように配置されている。
【００４１】
イメージセンサユニット４２ｃは、入射した光を集光するためのレンズ４２ｃ１と、集光された光をデジタル信号に変換して制御基板３４に出力するＣＣＤイメージセンサ４２ｃ２と、を備えている。制御基板３４は、イメージセンサ４２ｃ２から出力されたデジタル信号に基づいてプリンタ部２を駆動し、記録用紙に画像を形成することができる。なお、イメージセンサユニット４２ｃとしては、レンズ４２ｃ１及びＣＣＤイメージセンサ４２ｃ２に代えて密着方式のイメージセンサを採用することもできる。
【００４２】
ドキュメントカバーユニット５０は、原稿載置面４１に載置された原稿を、当該ドキュメントカバーユニットの底面によって押さえる原稿押さえ部でり、原稿トレイ５１と、原稿幅ガイド５２と、自動原稿搬送装置５３と、原稿受け５４と、を備えている。
【００４３】
原稿トレイ５１は、複数枚の原稿を載置するためのトレイである。原稿幅ガイド５２は、原稿トレイ５１に載置された原稿を幅方向において整列させて、原稿搬送時に斜行することを防止するためのガイドであり、原稿の幅方向において一対に設けられている。自動原稿搬送装置５３は、原稿トレイに載置された原稿を一枚ずつ原稿載置面４１に搬送する。原稿受け５４は、自動原稿搬送装置５３によって搬送された原稿を受ける部材である。
【００４４】
＜ドキュメントカバーユニット５０の回動動作＞
ここで、ドキュメントカバーユニット５０をフラットベッドユニット４０に対して回動させる動作について、図１及び図６を参照して説明する。ここで、図１（ａ）は、ドキュメントカバーユニットを閉じた状態を示す左側面図、図１（ｂ）は、図１（ａ）の部分拡大断面図、図６（ａ）は、ドキュメントカバーユニットを開いた状態を示す左側面図、図６（ｂ）は、図６（ａ）の部分拡大断面図である。
【００４５】
図１（ａ）（ｂ）に示すように、ドキュメントカバーユニット５０は、左右方向に延びる回動支軸６１によって、フラットベッドユニット４０の後部に対して回動可能に軸支されている。本実施形態において、回動支軸６１は、ドキュメントカバーユニット５０に対して固定されており、フラットベッドユニット４０に設けられた回動支軸用溝６４に挿通されて回動可能に支持されている。そして、図１（ａ）（ｂ）に示すように、ドキュメントカバーユニット５０を閉じた状態では、複合装置１Ａは、自動原稿搬送装置５３を用いて原稿を原稿載置面４１に搬送することによって、原稿を読み取ることができる。
【００４６】
そして、図６（ａ）に示すように、ドキュメントカバーユニット５０を開いた状態では、図６（ｂ）に示すように、ドキュメントカバーユニット５０に設けられたストッパ壁６２とフラットベッドユニット４０に設けられたストッパ壁６３とが当接することによって、ドキュメントカバーユニット５０の回動範囲が９０度（フラットベッドユニット４０に対して平行〜垂直）に規制されている。このように、ドキュメントカバーユニット５０を開いた状態では、複合装置１Ａは、原稿載置面４１に原稿を載置することが可能となっている。
【００４７】
＜スキャナ部３の回動動作＞
続いて、スキャナ部３をプリンタ部２に対して回動させる動作について、図２、図７及び図８を参照して説明する。ここで、図２（ａ）は、スキャナ部を閉じた状態を示す正面図、図２（ｂ）は、図２（ａ）の部分拡大断面図、図７（ａ）は、スキャナ部を開いた状態を示す正面図、図７（ｂ）は、図７（ａ）の部分拡大断面図、図８は、スキャナ部を開いた状態を示す斜視図である。
【００４８】
図２（ａ）（ｂ）に示すように、スキャナ部３は、前後方向に延びる回動支軸７１によって、プリンタ部２（ステー２ｇ）の左端部に対して回動可能に軸支されている。本実施形態において、回動支軸７１は、スキャナ部３に対して固定されており、ステー２ｇに設けられた回動支軸用溝７４に挿通されて回動可能に支持されている。
【００４９】
そして、図７（ａ）に示すように、スキャナ部３を開いた状態では、図７（ｂ）に示すように、フラットベッドユニット４０に設けられたストッパ壁７２とステー２ｇに設けられたストッパ壁７３とが当接することによって、スキャナ部３の回動範囲が９０度（プリンタ部２に対して平行〜垂直）に規制されている。このように、スキャナ部３を開いた状態では、図８に示すように、複合装置１Ａは、トップカバー２ｆを回動させることによって、筐体２ａの上部開口から画像形成機構部２０にアクセスすることが可能となり、画像形成機構部２０の内部保守や消耗品（印字プロセスカートリッジ２３ａ）交換が可能となる。
【００５０】
本実施形態では、スキャナ部３の回動支軸７１が画像形成機構部２０よりも左方に設けられているとともにスキャナ部３がプリンタ部２に対して垂直（鉛直）となる位置まで回動することができるので、スキャナ部３がトップカバー２ｆの開放動作の妨げにならない。また、自動原稿搬送装置５２が回動支軸７１側に配置されているので、スキャナ部３の重心位置が回動支軸７１に近くなっている。そのため、スキャナ部３の回動支軸７１まわりの負荷モーメントが小さくなっており、操作性が向上している。
【００５１】
また、本実施形態に係る複合装置１Ａは、回動支軸７１を左側に設けているので、スキャナ部３を開放した状態では利用者の右手側に広いスペースが生じ、内部保守や消耗品交換の作業を行い易くなっている。また、本実施形態に係る複合装置１Ａは、スキャナ部３を開放した状態であっても操作パネル３ａが利用者側に向いており、操作パネル３ａの操作が可能となっている。
【００５２】
（第二の実施形態）
続いて、本発明の第二の実施形態に係る複合装置について、第一の実施形態に係る複合装置１Ａとの相違点を中心に、図９〜図１１を参照して説明する。図９は、本発明の第二の実施形態に係る複合装置を示す図であり、（ａ）は正面図、（ｂ）（ｃ）は（ａ）の部分拡大断面図である。図１０は、本発明の第二の実施形態に係る複合装置の動作例を説明するための図であり、（ａ）はドキュメントカバーユニットを開いた状態を示す正面図、（ｂ）は（ａ）の部分拡大断面図である。図１１は、本発明の第二の実施形態に係る複合装置の動作例を説明するための図であり、（ａ）はスキャナ部を開いた状態を示す正面図、（ｂ）は（ａ）の部分拡大断面図である。
【００５３】
＜ドキュメントカバーユニット５０の回動動作＞
まず、ドキュメントカバーユニット５０をフラットベッドユニット４０に対して回動させる動作について、図９及び図１０を参照して説明する。ここで、図９（ａ）は、ドキュメントカバーユニットを閉じた状態を示す正面図、図９（ｂ）は、図９（ａ）の部分拡大断面図、図１０（ａ）は、ドキュメントカバーユニットを開いた状態を示す正面、図１０（ｂ）は、図１０（ａ）の部分拡大断面図である。
【００５４】
第二の実施形態に係る複合装置１Ｂにおいては、図９（ａ）（ｂ）に示すように、ドキュメントカバーユニット５０は、第一の実施形態に係る回動支軸６１に代えて、前後方向に延びる回動支軸８１によって、フラットベッドユニット４０の右端部に対して回動可能に軸支されている。本実施形態において、回動支軸８１は、ドキュメントカバーユニット５０に対して固定されており、フラットベッドユニット４０に設けられた回動支軸用溝８４に挿通されて回動可能に支持されている。そして、図９（ａ）（ｂ）に示すように、ドキュメントカバーユニット５０を閉じた状態では、複合装置１Ｂは、自動原稿搬送装置５３を用いて原稿を原稿載置面４１に搬送することによって、原稿を読み取ることができる。
【００５５】
そして、図１０（ａ）に示すように、ドキュメントカバーユニット５０を開いた状態では、図１０（ｂ）に示すように、ドキュメントカバーユニット５０に設けられたストッパ壁８２とフラットベッドユニット４０に設けられたストッパ壁８３とが当接することによって、ドキュメントカバーユニット５０の回動範囲が９０度（フラットベッドユニット４０に対して平行〜垂直）に規制されている。このように、ドキュメントカバーユニット５０を開いた状態では、複合装置１Ｂは、原稿載置面４１に原稿を載置することが可能となっている。
【００５６】
＜スキャナ部３の回動動作＞
続いて、スキャナ部３をプリンタ部２に対して回動させる動作について、図９及び図１１を参照して説明する。ここで、図９（ａ）は、スキャナ部を閉じた状態を示す正面図、図９（ｃ）は、図９（ａ）の部分拡大断面図、図１１（ａ）は、スキャナ部を開いた状態を示す正面図、図１１（ｂ）は、図１２（ａ）の部分拡大断面図である。
【００５７】
第二の実施形態に係る複合装置１Ｂにおいては、図９（ａ）（ｂ）に示すように、スキャナ部３は、前後方向に延びる回動支軸７１によって、プリンタ部２（ステー２ｇ）の左端部に対して回動可能に軸支されている。
【００５８】
そして、図１１（ａ）に示すように、スキャナ部３を開いた状態では、図１１（ｂ）に示すように、フラットベッドユニット４０に設けられたストッパ壁７２とステー２ｇに設けられたストッパ壁７３とが当接することによって、スキャナ部３の回動範囲が９０度（プリンタ部２に対して平行〜垂直）に規制されている。
【００５９】
本実施形態に係る複合装置１Ｂは、スキャナ部３の回動支軸７１とドキュメントカバーユニット５０の回動支軸８１とは、それぞれ左右の反対側に設けられているので、ドキュメントカバーユニット５０が不要に開くことを防ぎつつスキャナ部３を開くことができる。したがって、ドキュメントカバーユニット５０の不要な回動を規制する回動規制部材を廃止することができる。
【００６０】
以上、本発明の実施形態について説明したが、本発明は前記実施形態に限定されず、本発明の要旨を逸脱しない範囲内で適宜設計変更可能である。例えば、本発明をモノクロコピー機に適用する場合には、印字プロセスカートリッジ２３ａ及び転写ローラ２３ｃを一つとすることができる。また、トップカバー２ｆの形状や、回動支軸６１，７１，８１の形状も適宜変更可能である。また、本発明の複合装置は、コピー機に限定されず、ファクシミリ、オフィス用複合機（ＭＦＰ：Multi Function Products）等にも適用可能である。
【図面の簡単な説明】
【００６１】
【図１】本発明の第一の実施形態に係る複合装置を示す図であり、（ａ）は左側面図、（ｂ）は（ａ）の部分拡大断面図である。
【図２】本発明の第一の実施形態に係る複合装置を示す図であり、（ａ）は正面図、（ｂ）は（ａ）の部分拡大断面図である。
【図３】図２のＡ１−Ａ１断面図である。
【図４】図１のＡ２−Ａ２断面図である。
【図５】図１のＡ３−Ａ３断面図である。
【図６】本発明の第一の実施形態に係る複合装置の動作例を説明するための図であり、（ａ）はドキュメントカバーユニットを開いた状態を示す左側面図、（ｂ）は（ａ）の部分拡大断面図である。
【図７】本発明の第一の実施形態に係る複合装置の動作例を説明するための図であり、（ａ）はスキャナ部を開いた状態を示す正面図、（ｂ）は（ａ）の部分拡大断面図である。
【図８】本発明の第一の実施形態に係る複合装置の動作例を説明するための図であり、スキャナ部を開いた状態を示す斜視図である。
【図９】本発明の第二の実施形態に係る複合装置を示す図であり、（ａ）は正面図、（ｂ）（ｃ）は（ａ）の部分拡大断面図である。
【図１０】本発明の第二の実施形態に係る複合装置の動作例を説明するための図であり、（ａ）はドキュメントカバーユニットを開いた状態を示す正面図、（ｂ）は（ａ）の部分拡大断面図である。
【図１１】本発明の第二の実施形態に係る複合装置の動作例を説明するための図であり、（ａ）はスキャナ部を開いた状態を示す正面図、（ｂ）は（ａ）の部分拡大断面図である。
【符号の説明】
【００６２】
１Ａ，１Ｂ  複合装置
２      プリンタ部（画像形成装置）
２ｆ    トップカバー
２ｇ    ステー
３      スキャナ部（原稿読取装置）
２０    画像形成機構部
３１    電源ユニット
３２    駆動モータ
３４    制御基板
４０    フラットベッドユニット（原稿読取部）
５０    ドキュメントカバーユニット（原稿押さえ部）
６１，７１，８１  回動支軸
【図１】
2010136051.tif 000003
【図２】
2010136051.tif 000004
【図３】
2010136051.tif 000005
【図４】
2010136051.tif 000006
【図５】
2010136051.tif 000007
【図６】
2010136051.tif 000008
【図７】
2010136051.tif 000009
【図８】
2010136051.tif 000010
【図９】
2010136051.tif 000011
【図１０】
2010136051.tif 000012
【図１１】
2010136051.tif 000013